(57)【特許請求の範囲】
【請求項１】
少なくとも３つの部材を備え、これら複数の部材が積み重ねられて且つ一体に組み付けられてなる組立体の組付構造であって、
前記複数の部材のうち任意の第１の部材と、当該第１の部材に積み重ねられる第２の部材と、当該第２の部材に積み重ねられる第３の部材と、について、
前記第３の部材が、可撓性の係合アームを有し、
前記第２の部材が、前記第３の部材の係合アームに係合される係合突起と、可撓性の係合アームと、を有し、
前記第１の部材が、前記第２の部材の係合アームに係合される係合突起を有しており、
前記第３の部材が、その係合アームを前記第２の部材の係合突起に係合させて当該第２の部材に組み付けられ、
前記第２の部材が、その係合アームを前記第１の部材の係合突起に係合させて当該第１の部材に組み付けられ、
前記第１の部材の係合突起と、前記第２の部材の係合アーム及び係合突起と、前記第３の部材の係合アームと、が、当該第１〜第３の部材の積み重ね方向に整列して配置されていることを特徴とする組付構造。
【請求項２】
前記第２の部材の係合アームが、前記第１の部材の係合突起にその外側から係合し、そして、前記第２の部材の係合突起が、当該第２の部材の係合アームの外側面に設けられており、
前記第３の部材の係合アームが、前記第２の部材の係合突起にその外側から係合することを特徴とする請求項１に記載の組付構造。
【請求項３】
前記第２の部材が、前記第１の部材に外嵌した状態に当該第１の部材に組み付けられ、
前記第３の部材が、前記第２の部材に外嵌した状態に当該第２の部材に組み付けられることを特徴とする請求項１又は請求項２に記載の組付構造。
【請求項４】
前記組立体が、計器を収納するケースと、前記ケースに積み重ねられる見返しと、前記見返し部材に積み重ねられる透視板と、を備えた計器装置であって、
前記第１の部材が前記ケースであり、前記第２の部材が前記見返しであり、前記第３の部材が前記透視板であることを特徴とする請求項１〜請求項３のいずれかに記載の組付構造。
【発明の詳細な説明】
【技術分野】
【０００１】
本発明は、例えば計器を収納するケースと、前記ケースに積み重ねられる見返しと、前記見返し部材に積み重ねられる透視板と、を備えた車両用の計器装置など、少なくとも３つの部材を備え、これら複数の部材が積み重ねられて且つ一体に組み付けられてなる組立体の組付構造に関する。
【背景技術】
【０００２】
図３に示すように、自動車などの車両用の計器装置１０１は、速度計や回転計などの各種計器１０６を収納したケース１０２と、ケース１０２に積み重ねられて各計器１０６の表示領域を区分する見返し１０３と、見返し１０３に積み重ねられてこの見返し１０３を覆う透明な透視板１０４と、ケース１０２の下部を覆う裏カバー１０５と、で大略構成されている（例えば、特許文献１参照。）。
【０００３】
見返し１０３の周縁の適宜な箇所には、下方に向けて係止爪１１３ａが延設され、ケース１０２の周壁部の上縁部には、見返し１０３の係止爪１１３ａと係合する係止枠１１３ｂが突設されており、見返し１０３は、係止爪１１３ａを係止枠１１３ｂに係合させて、ケース１０２に組付けられている。
【０００４】
透視板１０４の周縁において、係止爪１１３ａが設けられている箇所を除いた見返し１０３の周縁の適宜な箇所に設けられた切欠き１１６の直上にあたる箇所には、下方に向けて係止爪１１４ａが延設され、ケース１０２の周壁の上縁部には、透視板１０４の係止爪１１４ａと係合する係止枠１１４ｂが突設されており、透視板１０４は、係止爪１１４ａを見返し１０３の切欠き１１６を通して係止枠１１４ｂに係合させて、ケース１０２に組付けられている。
【０００５】
尚、裏カバー１０５についても、その周縁の適宜な箇所に、上方に向けて係止爪１１５ａが延設されており、ケース１０２の周壁の下縁部に、裏カバー１０５の係止爪１１５ａと係合する係止枠１１５ｂが突設され、裏カバー１０５は、係止爪１１５ａを係止枠１１５ｂに係合させて、ケース１０２に組付けられている。
【０００６】
【特許文献１】特開２００１−１７４２９２号公報
【発明の開示】
【発明が解決しようとする課題】
【０００７】
上述した計器装置１０１のケース１０２、見返し１０３、及び透視板１０４、並びに裏カバー１０５の組付構造では、ケース１０２の上方に積み重ねられる見返し１０３及び透視板１０４が、いずれもケース１０２に組み付けられる構造となっている。そのため、ケース１０２の周壁の上縁部には多数の係止枠１１３ｂ，１１４ｂが設けられ、ケース１０２の周壁における多大なスペースがこれらの係止枠により占有されることとなる。
【０００８】
特に、ケース１０２の上方に積み重ねられる見返し１０３及び透視板１０４の係止爪１１３ａ，１１４ａにそれぞれ係合する係止枠１１３ｂ，１１４ｂは、ケース１０２の周壁の上縁部において上下方向に重なり合うことなく周方向に並んで配置され、ケース１０２の周壁に大きなスペースを必要とする。このことは、ケース１０２の上方に積み重ねられる部材の数が多くなるほど顕在化し、ケース１０２の小型化を妨げる虞がある。
【０００９】
また、周壁の上縁部に多数の係止枠１１３ｂ及び１１４ｂが突設され且つ点在しているケース１０２は見栄えが良いとはいえず、計器装置１０１の商品価値が低下する虞がある。
【００１０】
尚、ケース１０２の下方において、裏カバー１０５にさらに他の部材が積み重ねられる場合にも同様のことがいえる。
【００１１】
本発明は、上述した事情に鑑みてなされたものであり、その目的は、省スペース化を達成することができ、さらには見栄えを向上させることができる組付構造を提供することにある。
【課題を解決するための手段】
【００１２】
上記した目的は、本発明に係る下記（１）〜（４）の組付構造により達成され得る。
【００１３】
（１）  少なくとも３つの部材を備え、これら複数の部材が積み重ねられて且つ一体に組み付けられてなる組立体の組付構造であって、
前記複数の部材のうち任意の第１の部材と、当該第１の部材に積み重ねられる第２の部材と、当該第２の部材に積み重ねられる第３の部材と、について、
前記第３の部材が、可撓性の係合アームを有し、
前記第２の部材が、前記第３の部材の係合アームに係合される係合突起と、可撓性の係合アームと、を有し、
前記第１の部材が、前記第２の部材の係合アームに係合される係合突起を有しており、
前記第３の部材が、その係合アームを前記第２の部材の係合突起に係合させて当該第２の部材に組み付けられ、
前記第２の部材が、その係合アームを前記第１の部材の係合突起に係合させて当該第１の部材に組み付けられ、
前記第１の部材の係合突起と、前記第２の部材の係合アーム及び係合突起と、前記第３の部材の係合アームと、が、当該第１〜第３の部材の積み重ね方向に整列して配置されていることを特徴とする組付構造。
【００１４】
（２）前記第２の部材の係合アームが、前記第１の部材の係合突起にその外側から係合し、そして、前記第２の部材の係合突起が、当該第２の部材の係合アームの外側面に設けられており、
前記第３の部材の係合アームが、前記第２の部材の係合突起にその外側から係合することを特徴とする（１）に記載の組付構造。
【００１６】
（３）前記第２の部材が、前記第１の部材に外嵌した状態に当該第１の部材に組み付けられ、
前記第３の部材が、前記第２の部材に外嵌した状態に当該第２の部材に組み付けられることを特徴とする（１）〜（２）のいずれかに記載の組付構造。
【００１７】
（４）前記組立体が、計器を収納するケースと、前記ケースに積み重ねられる見返しと、前記見返し部材に積み重ねられる透視板と、を備えた計器装置であって、
前記第１の部材が前記ケースであり、前記第２の部材が前記見返しであり、前記第３の部材が前記透視板であることを特徴とする（１）〜（３）のいずれかに記載の組付構造。
【００１８】
上記（１）の構成の組付構造によれば、第１の部材に積み重ねられた第２の部材は、当該第１の部材に係合して組み付けられ、そして、第２の部材に積み重ねられた第３の部材は、当該第２の部材に係合して組み付けられるので、第１の部材に、他の部材との組み付けに供される係合突起が集約されることがなく、これにより、第１の部材において係合突起が占有するスペースを縮小することができ、第１の部材の小型化、ひいては組立体の小型化を図ることができる。また、各部材の係合部位が、複数の部材の積み重ね方向に整列し、その規則性により見栄えがよろしく、組立体としての商品価値の向上に寄与する。
【００１９】
上記（２）の構成の組付構造によれば、第１の部材の係合突起に係合している第２の部材の係合アームは、その外側を第３の部材の係合アームに支持され、これにより、第１の部材と第２の部材との組み付けを強固なものとすることができる。
【００２１】
上記（３）の構成の組付構造によれば、第１の部材から離れるに従って各部材が順次外側に配置され、その規則性により見栄えがよろしく、組立体としての商品価値の向上に寄与する。
【００２２】
そして、上記（１）〜（３）の構成の組付構造は、ケースと、見返しと、透視板と、を備えた計器装置において、ケースを第１の部材、見返しを第２の部材、透視板を第３の部材とした組付構造に好適である。
【発明の効果】
【００２３】
このように、本発明によれば、省スペース化を達成することができ、さらには見栄えを向上させることができる組付構造を提供することができる。
【発明を実施するための最良の形態】
【００２４】
以下、本発明の組付構造に係る好適な実施形態を図面に基づいて詳細に説明する。
【００２５】
図１は本発明の組付構造に係る一実施形態の斜視図、図２は図１におけるII-II矢視断面図である。
【００２６】
本実施形態の組付構造は、図１及び図２に示すように、速度計や回転計などの各種計器を収納したケース２と、ケース２の上方に積み重ねられて各計器の表示領域を区分する見返し３と、見返し３の上方に積み重ねられてこの見返し３を覆う透明な透視板４と、ケース２の下方に積み重ねられてこのケース２の下部を覆う裏カバー５と、で大略構成された計器装置１におけるこれらケース２、見返し３、及び透視板４、並びに裏カバー５の組付構造である。
【００２７】
ケース２は、例えば合成樹脂製の部材であって、内部に収納する各種計器を取り囲む周壁部２１を少なくとも有し、例えば箱状に形成されている。
【００２８】
見返し３は、例えば合成樹脂製の部材であって、ケース２の周壁部２１の上縁部に外嵌する周壁部３１を有し、この周壁部３１の下縁部における周方向の適宜な箇所には、下方に向けて延設された一対の弾性片３３，３３及びこれら一対の弾性片３３，３３の先端に橋架された係止片３４とで枠状に形成された係合アーム３２が設けられている。
【００２９】
ケース２の周壁部２１の上縁部の適宜な箇所には、見返し３の係合アーム３２と係合する係合突起２５が突設されている。この係合突起２５は、上方に向かう従って周壁部２１からの突出高さが小さくなり、それにより、その上面が傾斜して形成されている。
【００３０】
周壁部２１の上縁部に外嵌するようにケース２の上方に積み重ねられた見返し３は、その係合アーム３２の一対の弾性片３３，３３を外方に撓ませながら、係合アーム３２の係止片３４を係合突起２５の上面に摺動させ、係止片３４が係合突起２５を乗り越えた後には、一対の弾性片３３，３３が復元して係止片３４を係合突起２５の下端に係合させる。このようにして、見返し３は、ケース２に組み付けられている。
【００３１】
透視板４は、例えば透明な合成樹脂製の部材であって、見返し３の周壁部３１の上縁部に外嵌する周壁部４１を有し、当該透視板４が周壁部３１の上縁部に外嵌するように見返し３の上位に積み重ねられた状態で見返し３の係合アーム３２の直上にあたる周壁部４１の下縁部の箇所には、下方に向けて延設された一対の弾性片４３，４３及びこれら一対の弾性片４３，４３の先端に橋架された係止片４４とで枠状に形成された係合アーム４２が設けられている。
【００３２】
見返し３の周壁部３１の上縁部の適宜な箇所には、透視板４の係合アーム４２と係合する係合突起３５が突設されている。この係合突起３５は、上方に向かう従って周壁部３１からの突出高さが小さくなり、それにより、その上面が傾斜して形成されている。
【００３３】
周壁部３１の上縁部に外嵌するように見返し３の上方に積み重ねられた透視板４は、その係合アーム４２の一対の弾性片４３，４３を外方に撓ませながら、係合アーム４２の係止片４４を係合突起３５の上面に摺動させ、係止片４４が係合突起３５を乗り越えた後には、一対の弾性片４３，４３が復元して係止片４４を係合突起３５の下端に係合させる。このようにして、透視板４は、見返し３に組み付けられている。
【００３４】
裏カバー５は、例えば合成樹脂製の部材であって、ケース２の周壁部２１の下縁部に外嵌する周壁部５１を有し、この周壁部５１の上縁部における周方向の適宜な箇所には、上記した見返し３の係合アーム３２と同様の一対の弾性片及びこれら一対の弾性片の先端に橋架された係止片とで枠状に形成された係合アーム（不図示）が設けられている。
【００３５】
ケース２の周壁部２１の下縁部の適宜な箇所には、裏カバー５の係合アームと係合する係合突起（不図示）が突設されている。この係合突起は、見返し３の係合アーム３２と係合する係合突起２５とは対称に、下方に向かう従って周壁部２１からの突出高さが小さくなり、それにより、その下面が傾斜して形成されている。
【００３６】
周壁部２１の下縁部に外嵌するようにケース２の下方に積み重ねられた裏カバー５は、見返し３と同様にして、その係合アームをケース２の係合突起に係合させ、ケース２に組み付けられている。
【００３７】
このように、透視板４は見返し３に組み付けられ、見返し３はケース２に組み付けられ、また裏カバー５はケース２に組み付けられて、これらケース２、見返し３、及び透視板４、並びに裏カバー５は一体に組み付けられている。
【００３８】
以上説明したように、本実施形態の組付構造によれば、ケース２に積み重ねられた見返し３は、ケース２に係合して組み付けられ、そして、見返し３に積み重ねられた透視板４は、見返し３に係合して組み付けられるので、ケース２に、他の部材との組み付けに供される係合突起が集約されることがなく、これにより、ケース２において係合突起が占有するスペースを縮小することができ、ケース２の小型化、ひいては計器装置１の小型化を図ることができる。
【００３９】
また、本実施形態の組付構造によれば、ケース２の係合突起２５及び見返し３の係合アーム３２と、見返し３の係合突起３５及び透視板４の係合アーム４２と、が複数の部材２〜４の積み重ね方向に整列し、その規則性により見栄えがよろしく、計器装置１としての商品価値の向上に寄与する。
【００４０】
また、本実施形態の組付構造によれば、ケース２に積み重ねられた見返し３及び透視板４について、見返し３はケース２に外嵌し、透視板４は見返し３に外嵌し、つまり、ケース２から離れるに従って部材３，４が順次外側に配置され、その規則性により見栄えがよろしく、計器装置１としての商品価値の向上に寄与する。
【００４１】
尚、本発明は、上述した実施形態に限定されるものではなく、適宜、変形、改良等が可能である。
【００４２】
例えば、上述した実施形態の計器装置１において、見返し３の係合アーム３２は周壁部３１の下縁部に、また係合突起３５は周壁部３１の上縁部に設けられているが、これに替えて、係合突起３５を係合アーム３２の外側面に設けるようにしてもよい。これによれば、透視板４の係合アーム４２が見返し３の係合突起３５に係合した状態において、見返し３の係合アーム３２は、その外側を透視板４の係合アーム４２により支持されることとなり、ケース２と見返し３との組み付けをより強固なものとすることができる。
【００４３】
また、上述した実施形態の計器装置１において、透視板４のさらに上方に他の部材が組み付けられる場合に、見返し３を第１の部材、透視板４を第２の部材、前記他の部材を第３の部材として、上述したケース２、見返し３、及び透視板４の組み付け構造を適用することができる。尚、ケース２の下方において、裏カバー５にさらに他の部材が積み重ねられる場合にも、上述のケース２、見返し３、及び透視板４と同様の組み付け構造を適用することができることは言うまでもない。
【図面の簡単な説明】
【００４４】
【図１】本発明の組付構造に係る一実施形態の斜視図である。
【図２】図１におけるII-II矢視断面図である。
【図３】従来の組付構造の斜視図である。
【符号の説明】
【００４５】
１    計器装置（組立体）
２    ケース（第１の部材）
３    見返し（第２の部材）
４    透視板（第３の部材）
５    裏カバー
２５  係合突起
３２  係合アーム
３５  係合突起
４２  係合アーム
【図１】
0004611175.tif 000002
【図２】
0004611175.tif 000003
【図３】
0004611175.tif 000004